(57)【要約】【課題】内径サイズの微妙に異なる種々の竪樋にも連結対応が可能で、かつ強固に連結できる樋継手を提供する。【解決手段】樋継手Ａは、流入口１１を有した本体筒部１を備え、その本体筒部１から流出口１２を有した樋連結筒２を分岐突設させており、樋連結筒２は、流出口１２端側に向けて外径を小さくしたテーパ外周部２２を設け、かつ、そのテーパ外周部２２よりも流出口１２端側の外周面に小突部２４を突設させている。【選択図】図１
2007218017.tif 000002
【特許請求の範囲】
【請求項１】
流入口を有した本体筒部を備え、その本体筒部から流出口を有した樋連結筒を分岐突設させた樋継手において、
上記樋連結筒は、流出口端側に向けて外径を小さくしたテーパ外周部を設け、かつ、そのテーパ外周部よりも流出口端側の外周面に小突部を突設させていることを特徴とする樋継手。
【請求項２】
流入口を有した本体筒部を備え、その本体筒部から流出口を有した樋連結筒を分岐突設させた樋継手において、
上記樋連結筒は、流出口端側に向けて外径を小さくしたテーパ外周面を流出口端側に設け、かつ、そのテーパ外周面上の流出口端側に小突部を突設させていることを特徴とする樋継手。
【請求項３】
請求項１または２において、
本体筒部は、開口底を有しており、該開口底には、棒状体を立設した蓋が取り外し可能に装着されることを特徴とする樋継手。
【発明の詳細な説明】
【技術分野】
【０００１】
本発明は、集水器等と竪樋とを連通接続する際にジョイントとして使用され、流入口を有した本体筒部から、流出口を有した樋連結筒を分岐突設させた構造の樋継手の改良に関するものである。
【背景技術】
【０００２】
従来の樋継手では、樋連結筒に設けた流出口が、例えば特許文献１に示すように竪樋の端部に内嵌して竪樋と連結する構造となっており、そのため樋連結筒は、その外径が竪樋の内径に対応したサイズのものとなっている。
【特許文献１】特開平１０−２５２２３１号
【発明の開示】
【発明が解決しようとする課題】
【０００３】
しかしながら、樋継手の樋連結筒に外嵌して連結される竪樋は、同一サイズの内径のものであってもメーカー各社によって内径サイズが微妙に異なる大きさに形成されているため、これらの内径サイズの微妙に異なる竪樋に対しては、同一の樋継手で対応することができないという問題があった。
【０００４】
本発明は、上記問題を解決するために提案されたもので、その目的は、内径サイズの微妙に異なる種々の竪樋にも連結対応が可能で、かつ強固に連結できる樋継手を提供することにある。
【課題を解決するための手段】
【０００５】
上記目的を達成するために、請求項１に記載の樋継手は、流入口を有した本体筒部を備え、その本体筒部から流出口を有した樋連結筒を分岐突設させた樋継手において、樋連結筒は、流出口端側に向けて外径を小さくしたテーパ外周部を設け、かつ、そのテーパ外周部よりも流出口端側の外周面に小突部を突設させている。
【０００６】
請求項２に記載の樋継手は、流入口を有した本体筒部を備え、その本体筒部から流出口を有した樋連結筒を分岐突設させた樋継手において、樋連結筒は、流出口端側に向けて外径を小さくしたテーパ外周面を流出口端側に設け、かつ、そのテーパ外周面上の流出口端側に小突部を突設させている。
【０００７】
請求項３に記載の樋継手は、請求項１または２において、本体筒部は、開口底を有しており、該開口底には、棒状体を立設した蓋が取り外し可能に装着される。
【発明の効果】
【０００８】
本発明によれば、次のような効果がある。
【０００９】
すなわち請求項１に記載の樋継手によれば、樋連結筒は、流出口端側に向けて外径を小さくしたテーパ外周部を設けているため、竪樋と連結する場合には、外周が徐々に拡がっていくテーパ外周部のテーパ面によって、竪樋の端部を拡開して固定することができる。またテーパ外周部を設けているため、内径の微妙に異なる種々の竪樋に対しても同一の樋継手で対応することができる。
【００１０】
さらに、樋連結筒はテーパ外周部よりも流出口端側の外周面に小突部を突設させているため、連結した際に隙間が生じても小突部が竪樋を内側より押圧して弾性変形させるように作用する。そのため、竪樋の抜け出しを防止でき、上記テーパ外周部との相乗作用によって強固な連結が実現できる。
【００１１】
請求項２に記載の樋継手によれば、樋連結筒は、流出口端側に向けて外径を小さくしたテーパ外周面を流出口端側に設けているため、竪樋と連結する場合には、そのテーパ外周面によって竪樋の端部を拡開して固定することができる。よって請求項１と同様に、内径の微妙に異なる種々の竪樋に対しても同一の樋継手で対応することができる。さらに、流出口端よりテーパ外周面が形成されているため、流出口端の外径をより小さくすることによって竪樋にスムーズに内嵌することができる。
【００１２】
また、テーパ外周面上の流出口端側に小突部を突設させているため、連結した際に隙間が生じても小突部が竪樋の内面を弾性変形させるように作用する。そのため、抜け出しを防止でき、テーパ外周面との相乗作用によって強固な連結が実現できる。
【００１３】
請求項３に記載の樋継手によれば、棒状体を、本体筒部の開口底に取り付けた蓋に立設させているため、流入口端に連結した集水器等からの異物の侵入を防止できる。また棒状体があるため、水塊が流出口をふさいで雨水を滞留させることなく、スムーズに竪樋に流出させることができる。
【発明を実施するための最良の形態】
【００１４】
以下に、本発明の実施の形態について添付図面とともに説明する。
【実施例１】
【００１５】
図１は、本発明の一例である樋継手Ａの全体斜視図である。図２は、図１に示した樋継手Ａの使用状態図である。
【００１６】
樋継手Ａは、流入口１１を有した本体筒部１と、流出口１２を有し、本体筒部１に一体的に延設形成された樋連結筒２と、本体筒部１の開口底１３に取り外し可能に装着される蓋３と、その蓋３の内面に立設させた棒状体４とを含んで構成される。
【００１７】
この樋継手Ａは、その流入口（雨水等の上流側口、以下同様）１１を、軒樋Ｔの下流端に連通された集水器４０の集水口４１に接続しており、集水器４０を介して軒樋Ｔより流れてくる雨水等を、流出口（雨水等の下流側口、以下同様）１２に接続した竪樋３０に流出する機能を有している。
【００１８】
以下、樋継手Ａの各部材について詳説する。
【００１９】
本体筒部１は、樹脂等で成形され、流入口１１を鉛直方向に開設し、流出口１２を有した樋連結筒２を分岐突設し、さらに流入口１１の直下に、流入口１１と略同口径の開口底１３を開設し、その開口部１３に封止可能な蓋３を着脱自在に取り付けている。
【００２０】
この蓋３は、上方が開口された、開口底１３と略同口径の有底筒状体であって、蓋３の内面に、開口底１３の外面に形成した溝部１４に螺合するネジ山３ｂを形成して、本体筒部１の開口底１３に対して着脱自在とした構造にしている。なお蓋３は、開口底１３を封止可能にするとともに開口底１３に取り外し可能な構造のものであれば、他の装着構造であってもよい。さらに蓋３の内底面には、止水するためのゴムパッキン等のシール部材（不図示）を装着している。
【００２１】
また、蓋３の内底面の中央には、棒状体４を鉛直方向に向けて立設させ係止するための筒状に突起した係止部３ａを設けている。なお棒状体４は、着脱可能とせず、蓋３に固着させたものであってもよい。
【００２２】
この棒状体４は、中実または中空に形成されたもので、蓋３を開口底３に装着した状態では、棒状体４の先端は流入口１１よりも突出する。なお、棒状体４については図４にて後述する。
【００２３】
一方、樋連結筒２は、本体筒部１の略中央位置より、水平よりも僅かに下方に傾斜された方向に延設されており、その流出口１２端側を竪樋３０の端部に内嵌する構造となっている。
【００２４】
この樋連結筒２は、本体筒部１に連設されている基部２１と、その基部２１よりも外径を小さくした連結部２３と、基部２１と連結部２３との間に、流出口１２端側に向けて外径を徐々に小さくしテーパ状に形成したテーパ外周部２２とよりなる。なお、基部２１とテーパ外周部２２との連設部には段差部２５を設けている。
【００２５】
テーパ外周部２２は、その最大外径を基部２１の外径よりも段差部２５の分だけ小とし、かつ竪樋３０の内径よりも大とし、その最小外径（連結部２３の外径）を竪樋３０の内径よりも小とすることが望ましい。
【００２６】
また、連結部２３の流出口１２端側近傍の外周面には、複数の小突部２４を突設させている。後述するように、小突部２４は竪樋３０を内側より押圧して抜け出しを防止するためのものであり、そのため１つの小突部２４のみでもよいが、竪樋３０に対する圧着力を高めるため、２つの小突部２４を上記外周面の対象位置に設けることが望ましい。もっとも、竪樋３０の口径に応じて３つ以上の小突部２４を外周に等間隔でバランスよく設けてもかまわない。また、この小突部２４を設けた箇所の外径は、竪樋３０の内径よりもやや大とすることが望ましい。なおかつ、小突部２４の流出口１２側には、竪樋３０が挿入しやすいように、流出口１２先端に向けて狭められたテーパー状の誘導傾斜部２４ａを形成している。
【００２７】
ついで、樋継手Ａと竪樋３０との連結構造および方法を図２、図３を参照しながら説明する。図３は、連結状態を示した要部拡大縦断面図である。
【００２８】
竪樋３０は、図２に示すように、樋連結筒２の連結部２３に対して外嵌するように押し込まれる。その際には、竪樋３０はその内面が小突部２４によって押圧されながら押し込まれて、押し込みがさらに進むと、竪樋３０の開口端縁部３１がテーパ外周部２２に当接する。さらに押し込まれると、テーパ外周部２２の、徐々に外周の拡がっていくテーパ面が開口端縁部３１を拡開するように押圧し、最終的には開口端縁部３１は段差部２５に当接する。こうして、樋継手Ａと竪樋３０とは連結される。
【００２９】
なお、段差部２５はストッパの機能を有したものであり、竪樋３０の内径によっては、開口端縁部３１が段差部２５に当接する前に連結が完了する場合もある。
【００３０】
したがって、このような連結構造では、そのテーパ外周部２２のテーパ面によって竪樋３０の端部を拡開固定できる。また、テーパ外周部２２を設けているため、内径サイズの微妙に異なる種々の竪樋３０に対しても同一の樋継手Ａで対応することができる。
【００３１】
さらに、樋連結筒２は、テーパ外周部２２よりも流出口１２端側に位置する連結部２３の外周面に小突部２４を突設させているため、連結部２３の外径が竪樋３０の内径よりも小さく隙間を生じていても、小突部２４が竪樋３０を内側より押圧して弾性変形させることによって、小突部２４に接合する竪樋３０の口端近傍は拡開される一方、それ以外の竪樋３０口端は縮径され、その結果、小突部２４と竪樋３０の内面が強固に圧接される。さらに、変形された竪樋３０の開口端縁部３１は、テーパ外周部２２のテーパ面に当接することにより真円方向に強制的に規制されて、開口端縁部３１とテーパ外周部２２とが圧着される。これら２つの相乗効果により竪樋３０とテーパ外周部２２との連結が強固になり、抜け出しを防止することができる。
【００３２】
図４は、図１に示した樋継手Ａを集水器４０に接続した状態の概略縦断面図である。この図により、蓋３に設けた棒状体４の機能について説明する。
【００３３】
集水器４０は上方が開放された箱体に形成され、下端に集水口４１を備え、その集水口４１に樋継手Ａの流入口１１を接続させる構造となっており、図示するように、樋継手Ａを集水器４０に装着した状態では、棒状体４は流入口１１よりもさらに上方の集水器４０の略中央高さまで突出している。
【００３４】
この棒状体４によれば、集水器４０の上方よりボール等の侵入物が侵入しようとしても、その侵入物が集水器４０の内部に入り込むことを阻止でき、そのため、侵入物が集水口４１を塞いで雨水詰まりが生じることを防止できる。
【００３５】
また、樋継手Ａ内に雨水等が急激に流れ込んできても、この棒状体４によって、樋継手Ａ内で一様な水流に変えるため、水塊が流出口をふさいで雨水を滞留させることなく、スムーズに竪樋３０に流出させることができる。
【００３６】
さらに、樋継手Ａを取り外して清掃する際には、蓋３を本体筒部１より取り外し、蓋３から立設させた棒状体３で、本体筒部１や樋連結筒２などの内部に付着した枯葉などを除去することもできる。
【実施例２】
【００３７】
図５は、本発明の別例である樋継手Ｂの全体斜視図である。
【００３８】
本実施例に示した樋継手Ｂは、樋連結筒２が基部２１とテーパ外周面２２Ｂとにより構成された構造であって、そのテーパ外周面２２Ｂが、竪樋３０（図５では不図示。図２参照）に内嵌して連結する連結部として作用する。
【００３９】
このテーパ外周面２２Ｂは、本体筒部１より延設された基部２１に一体的に連設されており、その最大外径を基部２１の外径よりも段差部２５の分だけ小とし、かつ竪樋３０の内径よりも大とし、その最小外径（流出口１２端の外径）を竪樋３０の内径よりも小とすることが望ましい。
【００４０】
また、テーパ外周面２２Ｂ上の流出口１２端側には複数の小突部２４を突設させている。この小突部２４は実施例１と同様、１つのみでもよいが、竪樋３０に対する圧着力を高めるため、２つの小突部２４を上記外周面の対象位置に設けることが望ましい。もっとも、竪樋３０の口径に応じて３つ以上の小突部２４を外周に等間隔でバランスよく設けてもかまわない。また、この小突部２４を設けた箇所の外径は、竪樋３０の内径よりもやや大とすることが望ましい。なおかつ、小突部２４の流出口１２側には、竪樋３０が挿入しやすいように、流出口１２先端に向けて狭められたテーパー状の誘導傾斜部２４ａを形成している。
【００４１】
この樋継手Ｂと竪樋３０との連結構造については図示を省略するが、テーパ外周面２２Ｂと小突部２４の竪樋３０（図２、図３参照）に対する作用が実施例１と同様であることは言うまでもない。
【００４２】
したがって、この樋継手Ｂによれば実施例１と同様の効果が期待できる。さらに、流出口１２端よりテーパ外周面２２Ｂが形成されているため、流出口１２端の外径をより小さくすることにより、竪樋３０をスムーズに内嵌することができる。
【００４３】
なお、樋継手Ｂと接続する集水器４０および竪樋３０については、実施例１と同様の構造であるため図示およびその説明を省略する。また、棒状体４の構成、作用および効果についても実施例１と同様であるため、それらの説明を省略する。
【図面の簡単な説明】
【００４４】
【図１】本発明の一例である樋継手の全体斜視図である。
【図２】図１に示した樋継手の使用状態図である。
【図３】図１に示した樋継手と竪樋との連結構造を示す要部縦断面図である。
【図４】図１に示した樋継手の概略縦断面図である。
【図５】本発明の別例である樋継手の全体斜視図である。
【符号の説明】
【００４５】
Ａ、Ｂ      樋継手
１      本体筒部
１１      流入口
１２      流出口
１３      開口底
２      樋連結筒
２１      基部
２２      テーパ外周部
２２Ｂ      テーパ外周面
２３      連結部
２４      小突部
２４ａ      誘導傾斜部
２５      段差部
３      蓋
４      棒状体
【図１】
2007218017.tif 000003
【図２】
2007218017.tif 000004
【図３】
2007218017.tif 000005
【図４】
2007218017.tif 000006
【図５】
2007218017.tif 000007